(57)【特許請求の範囲】
【請求項１】
上方に開口した容器状に形成されて溶融金属を収容可能な保持炉と、
該保持炉の開口を塞ぐ蓋部と、
前記保持炉内に所定角度傾斜しつつ配設され、当該保持炉内に収容された溶融金属に浸漬して保温し得る浸漬ヒータと、
を具備し、所定容量の溶融金属を保温して保持可能な溶融金属保持装置において、
前記浸漬ヒータの基端部を支持するとともに、前記保持炉における前記蓋部と略等しい高さに固定された断熱材から成る支持手段を備えたことを特徴とする溶融金属保持装置。
【請求項２】
前記支持手段は、取付金具を介して当該保持炉の開口縁部に固定されたことを特徴とする請求項１記載の溶融金属保持装置。
【請求項３】
前記支持手段は、保持炉の溶融金属保持室内の溶融金属保持部内部と外部とを連通させる連通孔が形成されるとともに、当該連通孔の途中まで前記浸漬ヒータの基端部が嵌め込まれて支持されることを特徴とする請求項１又は請求項２記載の溶融金属保持装置。
【発明の詳細な説明】
【技術分野】
【０００１】
本発明は、所定容量の溶融金属を保温して保持可能な溶融金属保持装置に関するものである。
【背景技術】
【０００２】
鋳造に使用されるアルミニウム溶融金属を所定量保持するための溶融金属保持装置（溶融金属保持容器）は、従来より、上方に開口した容器状に形成されて溶融金属を収容可能な保持炉と、該保持炉の開口を塞ぐ蓋部と、保持炉内に所定角度傾斜しつつ配設され、当該保持炉内に収容された溶融金属に浸漬して保温し得る浸漬ヒータとを具備していた（例えば、特許文献１参照）。
【０００３】
かかる浸漬ヒータは、発熱部が形成された棒状のヒータから成り、熱伝導性が良好な材料から成るチューブ部材内に挿通された状態で固定されていた。即ち、保持炉における側壁（溶融金属の収容部の側壁）に、溶融金属保持室内の溶融金属の保持部と炉外とを連通させる連通孔を形成しておき、当該連通孔にチューブ部材及び浸漬ヒータの基端部を挿通させて固定していたのである。この浸漬ヒータは、保持炉内に所定角度傾斜しつつ配設されているため、保持炉内において垂直方向に延設されたものに比べ、より長い部位を溶融金属に浸漬させることができ、加熱効率を向上させることができる。
【先行技術文献】
【特許文献】
【０００４】
【特許文献１】特開平９−６６３５７号公報
【発明の概要】
【発明が解決しようとする課題】
【０００５】
しかしながら、上記従来の溶融金属保持装置は、保持炉内で所定角度傾斜させつつ浸漬ヒータが配設されているため、加熱効率を向上させることができるものの、当該浸漬ヒータの基端部が保持炉における側壁（溶融金属の収容部の側壁）に形成された連通孔に挿通して固定されているため、当該連通孔と浸漬ヒータの基端部との間に溶融金属漏れ防止シールを施す必要があった。即ち、従来のものは、溶融金属の液位が連通孔より高くなってしまうため、当該連通孔に対する溶融金属漏れ防止シールが必要とされるのである。
【０００６】
尚、従来の溶融金属保持装置においては、浸漬ヒータを保持炉内において水平に固定させるものもあるが、この場合も上記従来技術と同様、保持炉における側壁（溶融金属の収容部の側壁）に連通孔を形成して当該浸漬ヒータの基端部を挿通させて固定する必要があるため、当該連通孔と浸漬ヒータの基端部との間に溶融金属漏れ防止シールを施す必要がある。然るに、保持炉の開口を塞ぐ蓋部に浸漬ヒータの基端部を固定させることも考えられるが、この場合、保持炉内の清掃（例えば、溶融金属の液面に浮遊した酸化物等の除去作業等）を行うべく蓋部を取り外す際、浸漬ヒータも一緒に取り外されてしまい、溶融金属の保温が中断して浸漬ヒータによる加熱効率が低下してしまう虞がある。
【０００７】
本発明は、このような事情に鑑みてなされたもので、浸漬ヒータによる加熱効率を向上させることができるとともに、当該含浸ヒータの基端部の溶融金属漏れ防止シールを不要とすることができる溶融金属保持装置を提供することにある。
【課題を解決するための手段】
【０００８】
請求項１記載の発明は、上方に開口した容器状に形成されて溶融金属を収容可能な保持炉と、該保持炉の開口を塞ぐ蓋部と、前記保持炉内に所定角度傾斜しつつ配設され、当該保持炉内に収容された溶融金属に浸漬して保温し得る浸漬ヒータとを具備し、所定容量の溶融金属を保温して保持可能な溶融金属保持装置において、前記浸漬ヒータの基端部を支持するとともに、前記保持炉における前記蓋部と略等しい高さに固定された断熱材から成る支持手段を備えたことを特徴とする。
【０００９】
請求項２記載の発明は、請求項１記載の溶融金属保持装置において、前記支持手段は、取付金具を介して当該保持炉の開口縁部に固定されたことを特徴とする。
【００１０】
請求項３記載の発明は、請求項１又は請求項２記載の溶融金属保持装置において、前記支持手段は、保持炉内部と外部とを連通させる連通孔が形成されるとともに、当該連通孔の途中まで前記浸漬ヒータの基端部が嵌め込まれて支持されることを特徴とする。
【発明の効果】
【００１１】
請求項１の発明によれば、浸漬ヒータの基端部を支持するとともに保持炉における蓋部と略等しい高さに固定された断熱材から成る支持手段を備えたので、浸漬ヒータからの熱伝導を遮断して浸漬ヒータによる加熱効率を向上させることができるとともに、当該含浸ヒータの基端部の溶融金属漏れ防止シールを不要とすることができる。
【００１２】
請求項２の発明によれば、支持手段は、取付金具を介して保持炉の開口縁部に固定されたので、保持炉に対して支持手段をより強固に固定させることができるとともに、当該支持手段の保持炉に対する脱着作業を容易に行わせることができる。
【００１３】
請求項３の発明によれば、支持手段は、保持炉の溶融金属保持室内の溶融金属保持部内部と外部とを連通させる連通孔が形成されるとともに、当該連通孔の途中まで浸漬ヒータの基端部が嵌め込まれて支持されるので、当該浸漬ヒータの基端部からの熱伝導を遮断することで放熱を抑制することができ、浸漬ヒータの加熱効率をより向上させることができる。
【図面の簡単な説明】
【００１４】
【図１】本発明の実施形態に係る溶融金属保持装置を示す平面図
【図２】同溶融金属保持装置を示す縦断面図
【図３】図１におけるＩＩＩ−ＩＩＩ線断面図
【図４】同溶融金属保持装置における支持手段を示す４面図
【図５】同溶融金属保持装置における支持手段に浸漬ヒータを組み付けた状態の模式図
【図６】同溶融金属保持装置における取付金具を示す３面図
【発明を実施するための形態】
【００１５】
以下、本発明の実施形態について図面を参照しながら具体的に説明する。
本実施形態に係る溶融金属保持装置１は、鋳造で用いられる溶融金属（溶湯）を所定容量保持しつつ保温可能なもので、図１〜６に示すように、収容部Ｓにて溶融金属を保持可能とされた保持炉２と、断熱材で構成された蓋部３と、保持炉２内の溶融金属を加熱して保温可能な浸漬ヒータ４と、浸漬ヒータ４を支持するための支持手段５と、取付金具６とから主に構成されている。尚、本実施形態においては、アルミニウム鋳造品を得るためのアルミニウム溶融金属を保持し得るよう構成されている。
【００１６】
保持炉２は、溶融金属保持装置１の本体を成すもので、上方に開口した容器状に形成されて溶融金属を収容可能な収容部Ｓを有するとともに、当該収容部Ｓに溶融金属を投入可能な投入口２ａ及び当該収容部Ｓから溶融金属を取り出し可能な取出口２ｂが形成されている。尚、投入口２ａには、溶融金属を投入させるための投入手段ａが形成されるとともに、取出口２ｂには、脱着自在な蓋ｂが配設されている。
【００１７】
蓋部３は、保持炉２における収容部Ｓ上方の開口を塞ぐためのものであり、図３に示すように、その下部（収容部Ｓを臨ませた面側）が断熱材３ａで構成されているとともに、上部にフック部３ｂが形成されている。このフック部３ｂに図示しないクレーン等のフックを引っ掛けることができ、これにより、蓋部３の取り付け及び取り外しが可能とされている。かかる蓋部３の側面３ｃは、後述する支持手段５と当接した状態にて保持炉２の開口を塞ぎ得るようになっており、本実施形態においては当該当接部にセラミックファイバが配設されている。
【００１８】
浸漬ヒータ４は、保持炉２内に所定角度傾斜しつつ配設され、当該保持炉２内に収容された溶融金属に浸漬して保温し得るものであり、通電にて発熱可能な発熱部が先端側に形成された略棒状のヒータ部材４ａと、このヒータ部材４ａを覆うとともに熱伝導率が高い材料（例えば、炭化珪素或いは窒化珪素など）から成るチューブ部材４ｂとで構成されている。この浸漬ヒータ４の基端には、図５に示すように、ヒータ部材４ａの発熱部に通電可能な端子部４ｃが接続されており、この端子部４ｃと外部の電源と接続可能なコネクタ部Ｃとが配線ｈにて接続されている。
【００１９】
支持手段５は、浸漬ヒータ４の基端部を支持するとともに、保持炉２における蓋部３と略等しい高さに固定された断熱材から成るもので、例えば断熱材の成形部品（材質例として、ケイ酸カルシウム系材料または軽量断熱キャスタブルなど）で構成されている。即ち、支持手段５は、取付金具６によって保持炉２の開口縁部に固定されており、蓋部３の高さと略等しい高さに配設されるようになっているのである。これにより、支持手段５は、保持炉２内の溶融金属の液面（最大液面高さ）よりも常に上方に位置することとなり、収容部Ｓ内に収容された溶融金属に浸されないように構成されている。
【００２０】
この支持手段５には、図４に示すように、保持炉２内部と外部とを連通させる連通孔５ａが形成されるとともに、当該連通孔５ａの途中まで浸漬ヒータ４の基端部が嵌め込まれて支持されるようになっている。より具体的には、連通孔５ａは、浸漬ヒータ４の外径寸法に倣って形成されて当該浸漬ヒータ４を傾斜させつつ保持可能な保持部５ａａと、この保持部５ａａと外部とを連結させた連結部５ａｂとで構成されており、連結部５ａｂにおける保持部５ａａとの境界部に端子部４ｃを位置させつつ保持部５ａａにて浸漬ヒータ４を保持させることにより、連通孔５ａの途中まで浸漬ヒータ４の基端部が嵌め込まれて支持されているのである。
【００２１】
尚、かかる支持手段５は、１本の浸漬ヒータ４に対して１つずつ形成されており、本実施形態においては３本の浸漬ヒータ４をそれぞれ支持する３つの支持手段５が配設されている。然るに、本実施形態に係る含浸ヒータ４は、３本配設されているが、１本又は２本或いは４本以上配設するようにしてもよい。また、支持手段５は、成形時に連通孔５が成形されるものとされているが、矩形状の断熱材に対して切削加工を施して連通孔５を形成するものとしてもよい。
【００２２】
取付金具６は、支持手段５を保持炉２の開口縁部に固定させるためのもので、図６に示すように、支持手段５の厚さと略等しい寸法離間して形成された側壁ｅと、支持手段５の下面を支持する底板ｆを有して構成されており、当該側壁ｅで支持手段５を挟持させて保持可能とされている。この取付金具６の底板ｆには、複数のネジ孔６ｂが形成されており、かかるネジ孔６ｂにネジを挿通させて保持炉２の開口縁部に螺着させることにより、当該取付金具６を保持炉２の開口縁部に固定可能とされている。これにより、支持手段５は、取付金具６を介して保持炉２の開口縁部に固定されることとなる。
【００２３】
また、取付金具６のフック部６ａは、図示しないクレーン等のフックに対して引っ掛けることが可能とされており、ネジ孔６ｂのネジを取り外した状態とすることにより、蓋部３のフック部３ｂと同様、取付金具６と共に支持手段５の取り付け及び取り外しがクレーン等にて可能とされている。尚、本実施形態においては、取付金具６の側壁ｅに内部通風のためのパンチング板６ｃが取り付けられている。
【００２４】
上記実施形態によれば、浸漬ヒータ４の基端部を支持するとともに保持炉２における蓋部３と略等しい高さに固定された断熱材から成る支持手段５を備えたので、浸漬ヒータ４の傾斜を維持させつつ基端部からの放熱を抑制させることができ、当該浸漬ヒータ４による加熱効率を向上させることができるとともに、支持手段５が保持炉２内の溶融金属の液面（最大液面高さ）よりも常に上方に位置するので、当該含浸ヒータ４の基端部の溶融金属漏れ防止シールを不要とすることができる。
【００２５】
また、支持手段５は、取付金具６を介して保持炉２の開口縁部に固定されたので、保持炉２に対して支持手段５をより強固に固定させることができるとともに、当該支持手段５の保持炉２に対する脱着作業を容易に行わせることができる。更に、支持手段５は、保持炉２内部と外部とを連通させる連通孔５ａが形成されるとともに、当該連通孔５ａの途中まで浸漬ヒータ４の基端部が嵌め込まれて支持されるので、当該浸漬ヒータ４の基端部からの熱伝導による放熱を抑制することができ、浸漬ヒータ４の加熱効率をより向上させることができる。
【００２６】
以上、本実施形態について説明したが、本発明はこれに限定されるものではなく、例えば支持手段５が取付金具６を介さず保持炉２の開口縁部に直接固定されたものであってもよい。また、本実施形態においては、支持手段５が１本の浸漬ヒータ４に対して１つずつ形成されているが、複数本の浸漬ヒータ４の基端部をまとめて支持する構成のものとしてもよい。更に、本実施形態においては、支持手段５における連通孔５ａの途中まで浸漬ヒータ４の基端部が嵌め込まれて支持されているが、浸漬ヒータ４の基端部を支持手段５の外表面まで延設させつつ保持させた構成のものであってもよい。尚、本実施形態においては、アルミニウム溶融金属を保持する容器に適用されているが、他の溶融金属を保持するものに適用してもよい。
【産業上の利用可能性】
【００２７】
浸漬ヒータの基端部を支持するとともに保持炉における蓋部と略等しい高さに固定された断熱材から成る支持手段を備えた溶融金属保持装置であれば、外観形状が異なるもの或いは他の機能が付加されたもの等にも適用することができる。
【符号の説明】
【００２８】
１  溶融金属保持装置
２  保持炉
３  蓋部
４  浸漬ヒータ
５  支持手段
６  取付金具
【図１】
0005552602.tif 000002
【図２】
0005552602.tif 000003
【図３】
0005552602.tif 000004
【図４】
0005552602.tif 000005
【図５】
0005552602.tif 000006
【図６】
0005552602.tif 000007